(57)【要約】【課題】美観を損なうことを防止できるとともに、ケーブル配線用の固定具が不要となり取り付け作業性を改善できる電子機器を提供する。【解決手段】ナビゲーション装置２は支持台４とディスプレイ装置５が取り付けられる機器本体７とを備えている。支持台４は機器本体７に取り付けられディスプレイ装置５は支持台４に取り付けられる。ディスプレイ装置５にはケーブル２６が接続している。ナビゲーション装置２の角部７ｂにはケーブル２６を内側に配線する配線用溝１５がもうけられている。【選択図】図２
2009083737.tif 000002
【特許請求の範囲】
【請求項１】
インストルメントパネルの収容孔内に収容されて取り付けられる電子機器において、
前記電子機器は、前面側に他の電子機器を取り付け可能な支持台と、
背面側に前記他の電子機器と接続するためのケーブルを接続する端子を設けた機器本体と、
前記機器本体の外表面に、当該外表面から凹でかつ内側に前記ケーブルを配線する配線用溝が設けられていることを特徴とする電子機器。
【請求項２】
前記配線用溝が、前記機器本体の角部に設けられていることを特徴とする請求項１記載の電子機器。
【請求項３】
前記他の電子機器は、ディスプレイ装置であることを特徴とする請求項１または２記載の電子機器。
【発明の詳細な説明】
【技術分野】
【０００１】
本発明は、自動車などのインストルメントパネルに取り付けられた電子機器に関する。
【背景技術】
【０００２】
従来、自動車のインストルメントパネルに取り付けられた電子機器としてのナビゲーション装置の前面に、更に他の電子機器としてのディスプレイ装置を取り付けることが可能な電子機器がある。このような電子機器では、前記ディスプレイ装置に所望の電力や信号を供給するためのケーブルが当該ディスプレイ装置とナビゲーション装置との間に接続されていた。
【０００３】
この種のケーブルは、前述したナビゲーション装置の背面側からインストルメントパネルの表面上に配索されて、前述したディスプレイ装置へ接続されていた。
【発明の開示】
【発明が解決しようとする課題】
【０００４】
しかしながら、前述した従来の電子機器では、ケーブルがインストルメントパネルの表面上に沿わされるために、美観を著しく損なっていた。また、インストルメントパネルの表面上に沿わされたケーブルがぐらつく場合があり、ケーブルを固定するための固定具も必要としていた。
【０００５】
したがって、本発明の目的は、例えば、美観を損なうことを防止できるとともに、ケーブル配線用の固定具が不要となり取り付け作業性を改善できる電子機器を提供することにある。
【課題を解決するための手段】
【０００６】
前記課題を解決し目的を達成するために、請求項１に記載の本発明の電子機器は、インストルメントパネルの収容孔内に収容されて取り付けられる電子機器において、前記電子機器は、前面側に他の電子機器を取り付け可能な支持台と、背面側に前記他の電子機器と接続するためのケーブルを接続する端子を設けた機器本体と、前記機器本体の外表面に、当該外表面から凹でかつ内側に前記ケーブルを配線する配線用溝が設けられていることを特徴としている。
【発明を実施するための最良の形態】
【０００７】
以下、本発明の一実施形態にかかる電子機器を説明する。本発明の一実施形態にかかる電子機器は、インストルメントパネルの収容孔内に収容される当該電子機器の機器本体の外表面にケーブルを収容可能な配線用溝を設けているので、当該ケーブルをインストルメントパネルの表面上に配線することなく、インストルメントパネルの背面まで導くことができる。こうすることで、美観を損なうことを防止している。また、当該電子機器を取付ける際に、ケーブルを固定するための固定具を不要とすることができる。
【０００８】
また、電子機器は、配線用溝を機器本体の角部に設けても良い。この場合、電子機器の機器本体に内臓される各種の電子部品などの配置に影響を極力与えることなく、配線用溝を設置でき、美観を損なうことを防止できる。
【０００９】
さらに、他の電子機器がディスプレイ装置であっても良い。この場合、ディスプレイ装置に所望の電力や信号を確実に供給できる。
【実施例】
【００１０】
以下、本発明の一実施例にかかる電子機器を、図１ないし図８に基づいて説明する。電子機器としてのナビゲーション装置２は、図２に示すように、他の電子機器としてのディスプレイ装置５が取り付けられる機器本体７と、図示しないナビゲーションユニットと、支持台４と、とを備えている。
【００１１】
ナビゲーション装置２即ち機器本体７は、図１に示すように、移動体としての自動車のインストルメントパネル（以下、単に、インパネと呼ぶ）６の正面に開口した収容孔６ａ内に収容されて、当該インパネ６に取り付けられる。
【００１２】
機器本体７は、板金などで構成され、かつ、図２などに示すように、底板８と、底板８の外縁から立設した複数の側板９と、底板８に間隔をあけて相対する天井板１０とを備えて、扁平な箱状に形成されている。機器本体７は、支持台４を介してディスプレイ装置５が取り付けられる。機器本体７の図２中手前側の位置する一つの面（以下、前面と呼ぶ）７ａには、当該機器本体７にＤＶＤ（Digital Versatile Disc）−ＲＯＭなどの地図情報を記録した記録媒体を出し入れするための出入口部１１が設けられている。
【００１３】
出入口部１１は、前面７ａを貫通した横長に扁平に形成された開口部１２と、当該開口部１２の外縁から立設した筒状部１３とを備えている。勿論、筒状部１３は、前面７ａから凸に形成されている。この出入口部１１は、ナビゲーション装置２のＤＶＤ−ＲＯＭを機器本体７に出し入れするという一つの機能をつかさどる機能部をなしている。即ち、機器本体７の前面７ａには、機能部としての出入口部１１が設けられている。また、本発明でいう機能部とは、ナビゲーション装置２の種々の機能のうちいずれかをつかさどるものをいう。
【００１４】
また、機器本体７の前記前面７ａの裏側に位置する他の表面（以下、背面と呼ぶ）７ｃには、端子３１（図５などに示す）が設けられている。端子３１は、後述するケーブル２６を接続して、当該ケーブル２６を介して所望の電力や信号をディスプレイ装置５に供給するために用いられる。
【００１５】
ナビゲーションユニットは、機器本体７内に収容されかつＤＶＤドライブやＧＰＳ（Global Positioning System）受信機などの各種の機能部品で構成されている。ナビゲーションユニットは、機器本体７内に収容されたＤＶＤ−ＲＯＭから読み出した地図情報と、ＧＰＳ受信機がＧＰＳ信号を受信して得られた位置情報とをディスプレイ装置５に向かって出力して、当該ディスプレイ装置５に表示させる。
【００１６】
なお、以下、出入口部１１を通して機器本体７に出し入れされるＤＶＤ−ＲＯＭの表面に平行でかつ当該出入口部１１の長手方向に平行な図２中の矢印Ｘをナビゲーション装置２の幅方向と記し、前記ＤＶＤ−ＲＯＭの表面に平行でかつ当該出入口部１１の長手方向に対して直交する矢印Ｙをナビゲーション装置２の奥行き方向と記し、前記幅方向Ｘと奥行き方向Ｙとの双方に対して直交する矢印Ｚをナビゲーション装置２の厚み方向と記す。
【００１７】
また、前面７ａの幅方向Ｘの両端には、図２に示すように、それぞれ、スリット１４（図２には一方のみ示す）が設けられている。スリット１４は、前面７ａを貫通しているとともに、厚み方向Ｚに沿って直線状に延在している。スリット１４は、支持台４の後述する固定片２１を内側に通すことができる。また、機器本体７内において、スリット１４の近傍には、固定片２１を側板９に重なる状態に位置決めする図示しないガイド部材が設けられている。
【００１８】
さらに、機器本体７の外表面には、図２に示すように、当該外表面から凹の配線用溝１５が設けられている。配線用溝１５は、前面７ａから奥行き方向Ｙに沿って直線状に延在している。配線用溝１５は、機器本体７の奥行き方向Ｙの全長に亘って（即ち、前面７ａと背面７ｃとの間に亘って）設けられている。配線用溝１５は、その内側に後述するケーブル２６を配線して、当該ケーブル２６を前面７ａからインパネ６の背面即ち背面７ｃまで導く。配線用溝１５は、図示例では、一本のみ設けられ、前面７ａの正面からみて、機器本体７の右下に位置する角部７ｂに設けられている。
【００１９】
支持台４は、図２などに示すように、一対の固定片２１と、支持部２２とを備えている。固定片２１は、平板状に形成され、かつナビゲーション装置２の幅方向Ｘに沿って互いに間隔をあけて平行に配置されている。固定片２１は、スリット１４内に収容される。固定片２１は、スリット１４内に収容されると、側板９に重なる。固定片２１は、側板９を貫通したねじ１８がねじ込まれることで、側板９即ち機器本体７（ナビゲーション装置２）の幅方向Ｘの両端に直接固定される。
【００２０】
支持部２２は、支持部本体２３と、回転支持部材２４と、を備えている。支持部本体２３は、帯板状に形成され、かつその長手方向の両端から固定片２１を立設させた状態で、当該一対の固定片２１同士を連結している。支持部本体２３は、その長手方向が幅方向Ｘと平行な状態で前面７ａに重ねられる。即ち、固定片２１は、ナビゲーション装置２の幅方向Ｘに沿って互いに間隔をあけて設けられているとともに、ねじ１８によって、機器本体７即ちナビゲーション装置２の幅方向Ｘの両端に直接取り付けられる。
【００２１】
また、支持部本体２３には、露出部としての露出孔２５が設けられている。この露出孔２５も、勿論、支持部本体２３を貫通しているとともに。固定片２１がスリット１４内に挿入されかつ支持部本体２３が前面７ａに重ねられると、内側に筒状部１３即ち出入口部１１を位置付けて、当該筒状部１３即ち出入口部１１を外部に露出させる。
【００２２】
回転支持部材２４は、平板状に形成され、かつ支持部本体２３に幅方向Ｘと平行な軸芯を中心として回転自在に支持されている。回転支持部材２４は、図２中の下端部を中心として回転自在に支持部本体２３に支持されている。
【００２３】
また、回転支持部材２４は、図２に示すように、当該回転支持部材２４の表面即ち前面にディスプレイ装置５が取り付けられる。回転支持部材２４には、当該回転支持部材２４に取り付けられたディスプレイ装置５と接続して、当該ディスプレイ装置５に電力や各種の信号を供給するためのコネクタ２０が取り付けられている。勿論、このコネクタ２０には、ケーブル２６が取り付けられている。ケーブル２６は、端子３１に接続して、自動車の車体側やナビゲーション装置２からディスプレイ装置５に電力や各種の信号を供給するために用いられる。即ち、ケーブル２６は、ナビゲーション装置２とディスプレイ装置５とを接続するために用いられる。このため、ケーブル２６は、回転支持部材２４にディスプレイ装置５が取り付けられると、コネクタ２０を介して、当該ディスプレイ装置５と接続する。
【００２４】
前述した支持台４は、固定片２１がスリット１４内に収容されて側板９に重ねられ、かつ支持部本体２３が前面７ａに重ねられるとともに、側板９を貫通したねじ１８が固定片２１にねじ込まれることで、機器本体７即ちナビゲーション装置２に取り付けられる。そして、支持台４は、支持部２２の回転支持部材２４にディスプレイ装置５が取り付けられるとともに、当該回転支持部材２４の前述した軸芯回りの向きが適宜調整されて用いられる。
【００２５】
ディスプレイ装置５は、液晶ディスプレイ（Liquid Crystal Display）などからなりかつ文字や画像などの情報を運転者などに向かって表示して視認させるための表示面としての表示パネル２７と、この表示パネル２７を収容する筐体部材２８などを備えている。ディスプレイ装置５は、その筐体部材２８の背面が回転支持部材２４に重ねられて、当該回転支持部材２４即ち支持台４に取り付けられる（支持される）。即ち、ディスプレイ装置５は、支持台４を介してナビゲーション装置２に取り付けられる。勿論、ディスプレイ装置５は、回転支持部材２４即ち支持台４に取り付けられると、前述したコネクタ２０を介してケーブル２６と接続する。
【００２６】
前述した電子機器としてのナビゲーション装置２は、インパネ６に取り付けられる際には、まず、図３に示すように、機器本体７の前面７ａに支持台４を取り付ける。そして、図４に示すように、配線用溝１５内にケーブル２６を配線して、端子３１に接続した後、図５に示すように、ケーブル２６と機器本体７の角部にテープ３０などを貼り付けて、配線用溝１５内に配索されたケーブル２６を機器本体７に固定する。
【００２７】
そして、図示しないブラケットを用いて、図６に示すように、支持台４が取り付けられたナビゲーション装置２をインパネ６の収容孔６ａ内に収容して、当該ナビゲーション装置２をインパネ６に取り付ける。そして、図７に示すように、支持台４の支持部２２にディスプレイ装置５を取り付ける。そして、図８中の一点鎖線などに示すように、軸芯回りに回転支持部材２４即ちディスプレイ装置５の向きを変更して用いられる。
【００２８】
本実施例によれば、インパネ６の収容孔６ａ内に収容されるナビゲーション装置２の機器本体７の外表面にケーブル２６を収容可能な配線用溝１５を設けているので、当該ケーブル２６をインパネ６の表面上に配線することなく、インパネ６の背面まで導くことができる。したがって、美観を損なうことを防止できる。また、ナビゲーション装置２の機器本体７を取付ける際に、ケーブルを固定するための固定具を不要とすることができる。
【００２９】
また、ナビゲーション装置２は、配線用溝１５を機器本体７の角部７ｂに設けているので、ナビゲーション装置２の機器本体７に内臓される各種の電子部品などの配置に影響を極力与えることなく、配線用溝１５を設置でき、美観を損なうことを防止できる。
【００３０】
さらに、他の電子機器としてディスプレイ装置５を用いているので、勿論、ディスプレイ装置５に所望の電力や信号を確実に供給できる。
【００３１】
ナビゲーション装置２に取り付けられる固定片２１を互いに間隔をあけて一対設けているので、ディスプレイ装置５を支持する支持部２２を所謂両持ちで支持するとともに、更に固定片２１をナビゲーション装置２の機器本体７に直接固定するので、固定片２１即ち支持台４を強固にナビゲーション装置２に固定できる。したがって、支持台４や当該支持台４に支持されるディスプレイ装置５が、自動車の走行中の振動やエンジンの振動によって、振動することを防止して、他の物品と接触して異音が生じることを防止できる。
【００３２】
また、固定片２１がナビゲーション装置２の幅方向Ｘに沿って間隔をあけて配置されているので、固定片２１がナビゲーション装置２の厚み方向Ｚに沿って間隔をあけている場合よりも当該固定片２１間の間隔を大きくすることができ、支持台４をより強固にナビゲーション装置２に取り付けることができる。
【００３３】
さらに、固定片２１がナビゲーション装置２の幅方向Ｘの両端に取り付けられている。この場合、固定片２１間の間隔をより大きくすることができるので、支持台４をより強固にナビゲーション装置２に取り付けることができる。
【００３４】
また、ナビゲーション装置２は、前述した支持台４を備えているので、ディスプレイ装置５が振動することを防止でき、異音が生じることを防止できる。
【００３５】
また、ナビゲーション装置２は、機器本体７に機能部としての出入口部１１を設け、支持台４に出入口部１１を露出させる露出孔２５を設けているので、支持台４の機能を簡略化することができ、かつ、出入口部１１をナビゲーション装置２のみに設けるので当該出入口部１１の複雑化を防止できる。
【００３６】
前述した実施例では、配線用溝１５を一本のみ機器本体７の角部７ｂに設けているが、本発明では、配線用溝１５を複数設けても良く、さらに、当該配線用溝１５を機器本体７の角部７ｂ以外の種々の箇所に設けても良い。
【００３７】
また、前述した実施例では、他の電子機器としてディスプレイ装置５を示しているが、本発明では、例えば、携帯電話や、携帯型情報記録装置などのディスプレイ装置５以外の種々の電子機器を用いても良いことは勿論である。さらに、前述した実施例では、電子機器としてナビゲーション装置２を示しているが、本発明では、ナビゲーション装置２以外の種々の電子機器を用いても良いことは勿論である。
【００３８】
前述した実施例では、固定片２１を幅方向Ｘに沿って互いに間隔をあけてそれぞれ一対設け、さらに、これら固定片２１を幅方向Ｘの両端に設けている。しかしながら、本発明では、固定片２１を二つ以上即ち少なくとも二つ設ければよい。また、これらの固定片２１を幅方向Ｘに限らず、例えば、厚み方向Ｚに間隔をあけて設けても良いとともに、端以外に設けても良い。
【００３９】
また、前述した実施例では、機能部として出入口部１１を示しているが、本発明では、例えば各種のスイッチや表示パネルなどの他の機能部を用いても良いことは勿論である。
【００４０】
前述した実施例によれば、以下のナビゲーション装置２が得られる。
【００４１】
（付記）  インストルメントパネル６の収容孔６ａ内に収容されて取り付けられるナビゲーション装置２において、
前記ナビゲーション装置２は、前面側にディスプレイ装置５を取り付け可能な支持台４と、
背面側に前記ディスプレイ装置５と接続するためのケーブル２６を接続する端子３１を設けた機器本体７と、
前記機器本体７の外表面に、当該外表面から凹でかつ内側に前記ケーブル２６を配線する配線用溝１５が設けられていることを特徴とするナビゲーション装置２。
【００４２】
付記によれば、インパネ６の収容孔６ａ内に収容されるナビゲーション装置２の機器本体７の外表面にケーブル２６を収容可能な配線用溝１５を設けているので、当該ケーブル２６をインパネ６の表面上に配線することなく、インパネ６の背面まで導くことができる。したがって、美観を損なうことを防止できる。また、ナビゲーション装置２の機器本体７を取りつける際の取り付け作業性を改善できる。
【００４３】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００４４】
【図１】本発明の一実施例にかかる電子機器としてのナビゲーション装置のインパネに取り付けられた状態を示す斜視図である。
【図２】図２に示されたナビゲーション装置の構成を示す斜視図である。
【図３】図２に示されたナビゲーション装置の機器本体に支持台が取り付けられた状態を示す斜視図である。
【図４】図３に示された機器本体に設けられた配線用溝内にケーブルを配線する状態を示す斜視図である。
【図５】図４に示された機器本体にケーブルを固定した状態を示す斜視図である。
【図６】図５に示されたナビゲーション装置をインパネに取り付けた状態を示す斜視図である。
【図７】図６に示されたナビゲーション装置の支持台にディスプレイ装置が取り付けられた状態を示す側面図である。
【図８】図７に示されたナビゲーション装置に取り付けられたディスプレイ装置の向きが変更される状態を示す斜視図である。
【符号の説明】
【００４５】
２  ナビゲーション装置（電子機器）
４  支持台
５  ディスプレイ装置（他の電子機器）
６  インパネ（インストルメントパネル）
６ａ  収容孔
７ｂ  角部
７ｃ  背面
１５  配線用溝
２６  ケーブル
３１  端子
【図１】
2009083737.tif 000003
【図２】
2009083737.tif 000004
【図３】
2009083737.tif 000005
【図４】
2009083737.tif 000006
【図５】
2009083737.tif 000007
【図６】
2009083737.tif 000008
【図７】
2009083737.tif 000009
【図８】
2009083737.tif 000010